(57)【特許請求の範囲】
【請求項１】
なだらかな平坦状又は湾曲状に圧縮して形成された圧縮装飾面（１２、７２、８３、９３、１０３）を有する金属部品（１０、７０、８０、９０、１００）であって、
前記圧縮装飾面（１２、７２、８３、９３、１０３）が、被覆した被覆材が残る複数の小区画部（１２ａ、７２ａ、９３ａ、１０３ａ）と、被覆した被覆材が除去された、隣り合う前記小区画部（１２ａ、７２ａ、９３ａ、１０３ａ）間の境界部（１２ｂ、７２ｂ、９３ｂ、１０３ｂ）とから成る模様を有し、
前記金属部品はボタン（１０、７０、８０、９０）又はボタン用の止具（１００）である金属部品。
【請求項２】
なだらかな平坦状又は湾曲状に圧縮して形成された圧縮装飾面（１１３、１３３）を有する金属部品（１１０、１３０）であって、
前記圧縮装飾面（１１３、１３３）が、被覆した被覆材が残る複数の小区画部（１１３ａ、１３３ａ、１３３ｂ、１３３ｃ）と、被覆した被覆材が除去された、隣り合う前記小区画部（１１３ａ、１３３ａ、１３３ｂ、１３３ｃ）間の境界部（１１３ｂ、１３４ａ、１３４ｂ、１３４ｃ）とから成る模様を有し、
前記金属部品はスライドファスナー用の部品（１１０、１３０）である金属部品。
【請求項３】
平坦状又は湾曲状になだらかな圧縮装飾面（１２、７２、８３、９３、１０３）を有する金属部品（１０、７０、８０、９０、１００）にして、前記圧縮装飾面（１２、７２、８３、９３、１０３）が、被覆した被覆材が残る複数の小区画部（１２ａ、７２ａ、９３ａ、１０３ａ）と、被覆した被覆材が除去された、隣り合う前記小区画部（１２ａ、７２ａ、９３ａ、１０３ａ）間の境界部（１２ｂ、７２ｂ、９３ｂ、１０３ｂ）とから成る模様を有する金属部品（１０、７０、８０、９０、１００）を形成する方法であって、
金属部品（１０、７０、８０、９０、１００）となる中間部材（１０’、１０”、７０’、１００’）にして、外側面の少なくとも一部に、複数の小区画面（１２”、１３’ａ、７２’ａ、７２’ｂ、１０３’ａ、１０３’ｂ）と、隣り合う二つの小区画面（１２”、１３’ａ、７２’ａ、７２’ｂ、１０３’ａ、１０３’ｂ）を鈍角にて接合する稜部（１３ｂ、１３’ｂ、７２’ｃ、１０３’ｃ）とを含む多面部（１２’、７２’、１０３’）を有する中間部材（１０’、１０”、７０’、１００’）を得る工程Ａと、
前記多面部（１２’、７２’、１０３’）に前記外側面の地色と異なる色の被覆材を被覆する工程Ｂと、
前記多面部（１２’、７２’、１０３’）の小区画面（１２”、１３’ａ、７２’ａ、７２’ｂ、１０３’ａ、１０３’ｂ）に対応する部分の被覆材を残し、稜部（１３ｂ、１３’ｂ、７２’ｃ、１０３’ｃ）に対応する部分の被覆材を除去する工程Ｃと、
多面部（１２’、７２’、１０３’）の少なくとも一部を圧縮し、前記小区画面（１２”、１３’ａ、７２’ａ、７２’ｂ、１０３’ａ、１０３’ｂ）に対応する部分が前記小区画部（１２ａ、７２ａ、９３ａ、１０３ａ）となり、かつ前記稜部（１３ｂ、１３’ｂ、７２’ｃ、１０３’ｃ）に対応する部分が前記境界部（１２ｂ、７２ｂ、９３ｂ、１０３ｂ）となる前記圧縮装飾面（１２、７２、８３、９３、１０３）を形成する工程Ｄとを含み、
前記金属部品はボタン（１０、７０、８０、９０）又はボタン用の止具（１００）である金属部品の形成方法。
【請求項４】
平坦状又は湾曲状になだらかな圧縮装飾面（１１３、１３３）を有する金属部品（１１０、１３０）にして、前記圧縮装飾面（１１３、１３３）が、被覆した被覆材が残る複数の小区画部（１１３ａ、１３３ａ、１３３ｂ、１３３ｃ）と、被覆した被覆材が除去された、隣り合う前記小区画部（１１３ａ、１３３ａ、１３３ｂ、１３３ｃ）間の境界部（１１３ｂ、１３４ａ、１３４ｂ、１３４ｃ）とから成る模様を有する金属部品（１１０、１３０）を形成する方法であって、
金属部品（１１０、１３０）となる中間部材（１１０’、１３０’）にして、外側面の少なくとも一部に、複数の小区画面（１１３’ａ、１１３’ｂ、１１３’ｃ、１３３ａ’、１３３ｂ’、１３３ｃ’）と、隣り合う二つの小区画面（１１３’ａ、１１３’ｂ、１１３’ｃ、１３３ａ’、１３３ｂ’、１３３ｃ’）を鈍角にて接合する稜部（１１３’ｄ、１３４ａ’、１３４ｂ’、１３４ｃ’）とを含む多面部（１１３’、１３３’）を有する中間部材（１１０’、１３０’）を得る工程Ａと、
前記多面部（１１３’、１３３’）に前記外側面の地色と異なる色の被覆材を被覆する工程Ｂと、
前記多面部（１１３’、１３３’）の小区画面（１１３’ａ、１１３’ｂ、１１３’ｃ、１３３ａ’、１３３ｂ’、１３３ｃ’）に対応する部分の被覆材を残し、稜部（１１３’ｄ、１３４ａ’、１３４ｂ’、１３４ｃ’）に対応する部分の被覆材を除去する工程Ｃと、
多面部（１１３’、１３３’）の少なくとも一部を圧縮し、前記小区画面（１１３’ａ、１１３’ｂ、１１３’ｃ、１３３ａ’、１３３ｂ’、１３３ｃ’）に対応する部分が前記小区画部（１１３ａ、１３３ａ、１３３ｂ、１３３ｃ）となり、かつ前記稜部（１１３’ｄ、１３４ａ’、１３４ｂ’、１３４ｃ’）に対応する部分が前記境界部（１１３ｂ、１３４ａ、１３４ｂ、１３４ｃ）となる前記圧縮装飾面（１１３、１３３）を形成する工程Ｄとを含み、
前記金属部品はスライドファスナー用の部品（１１０、１３０）である金属部品の形成方法。
【請求項５】
前記工程Ｂは、前記多面部（１１３’、１３３’）にメッキを施すことによって行われる請求項３又は４の金属部品の形成方法。
【請求項６】
前記工程Ｃは、前記中間部材（１１０’、１３０’）をバレル研磨することによって行われる請求項３又は４の金属部品の形成方法。
【発明の詳細な説明】
【技術分野】
【０００１】
本発明は、金属部品及び金属部品の形成方法に関し、更に詳しくは、斬新な平面的な模様を有する金属製のボタン、ボタン用の止具、スライドファスナー用の部品等の金属部品と、このような金属部品を形成する方法に関する。
【背景技術】
【０００２】
金属製のボタン、ボタン用の止具、スライドファスナー用の下止具、引手等の表面には、従来から、印刷や刻印等によって種々の模様等が付与されているが、これらの模様等はありふれている。また、特開昭６０−２３０３１号公報には、表部に凸部を有するボタン等を染色した後、バレル研磨して凸部の角の染料を除去することにより、古び色的な金属色調を施す方法が開示される。しかしながら、上記公報による方法は、凸部の無いボタン等には適用できず、また、平面的な模様を得ることができない。
【先行技術文献】
【特許文献】
【０００３】
【特許文献１】特開昭６０−２３０３１号公報
【発明の概要】
【発明が解決しようとする課題】
【０００４】
本発明の目的は、印刷や刻印等によって得られる模様とは趣を異にする斬新な平面的な模様を有する金属部品、及びこのような金属部品の形成方法を提供することにある。
【課題を解決するための手段】
【０００５】
上記課題を解決するため、本発明によれば、なだらかな平坦状又は湾曲状に圧縮して形成された圧縮装飾面を有する金属部品であって、前記圧縮装飾面が、被覆した被覆材が残る複数の小区画部と、被覆した被覆材が除去された、隣り合う前記小区画部間の境界部とから成る模様を有する金属部品が提供される。【０００６】
本発明に係る金属部品では、圧縮して形成される平坦状又は湾曲状になだらかな圧縮装飾面に対し、被覆した被覆材をそのまま残した複数の小区画部と、該被覆材を除去した、隣り合う小区画部間の境界部とから成る模様が付与される。金属部品の材質としては、アルミニウム合金、銅合金等を好ましく挙げることができるが、これらに限定されるものではない。【０００７】
本発明の一実施形態において、前記金属部品はボタン又はボタン用の止具である。ここでボタンには、飾りボタン、ボタンホールに出し入れするタイプのボタン、スナップボタン（雄スナップボタン及び雌スナップボタン）等が含まれる。飾りボタンには、例えばジーンズのポケットにカン止めとして使用されるボタンの他、鞄、ベルト等の装飾に用いられる円形、矩形、多角形等のボタン（プレート）が含まれる。ボタン用の止具は、飾りボタン、ボタンホールに出し入れするタイプのボタン、スナップボタン等のボタンを生地等に固定するための部品であり、基部と、基部から突出する一つ又は複数の軸部を有し、生地等を貫通した軸部を変形させてボタンを係止することにより、ボタンが生地等に固定される。【０００８】
本発明の一実施形態において、前記金属部品はスライドファスナー用の部品である。スライドファスナー用の部品の例としては、上止具、下止具、引手、ファスナーエレメント、スライダー等を挙げることができる。【０００９】
別の本発明によれば、平坦状又は湾曲状になだらかな圧縮装飾面を有する金属部品にして、前記圧縮装飾面が、被覆した被覆材が残る複数の小区画部と、被覆した被覆材が除去された、隣り合う前記小区画部間の境界部とから成る模様を有する金属部品を形成する方法であって、金属部品となる中間部材にして、外側面の少なくとも一部に、複数の小区画面と、隣り合う二つの小区画面を鈍角にて接合する稜部とを含む多面部を有する中間部材を得る工程Ａと、前記多面部に前記外側面の地色と異なる色の被覆材を被覆する工程Ｂと、前記多面部の小区画面に対応する部分の被覆材を残し、稜部に対応する部分の被覆材を除去する工程Ｃと、多面部の少なくとも一部を圧縮し、前記小区画面に対応する部分が前記小区画部となり、かつ前記稜部に対応する部分が前記境界部となる前記圧縮装飾面を形成する工程Ｄとを含む金属部品の形成方法が提供される。【００１０】
本発明では、最終的に金属部品となる中間部材に、複数の小区画面と小区画面間の稜部とを含む多面部を設け、多面部に被覆材を被覆し、次いで、研磨等により稜部に対応する部分の被覆材を除去した後、多面部を平坦状又は湾曲状に押し潰すことにより、圧縮装飾面が形成される。圧縮装飾面において、被覆材が残る小区画面に対応する部分が小区画部となり、被覆材が除去された稜部に対応する部分が境界部となる。多面部に被覆材を被覆する工程Ｂとしては、後述するメッキ処理の他、染料等の塗布や浸漬等を挙げることができる。【００１１】
本発明の一実施形態において、前記金属部品はボタン又はボタン用の止具である。ここでボタンには、飾りボタン、ボタンホールに出し入れするタイプのボタン、スナップボタン（雄スナップボタン及び雌スナップボタン）等が含まれる。飾りボタンには、例えばジーンズのポケットにカン止めとして使用されるボタンの他、鞄、ベルト等の装飾に用いられる円形、矩形、多角形等のボタン（プレート）が含まれる。ボタン用の止具は、飾りボタン、ボタンホールに出し入れするタイプのボタン、スナップボタン等のボタンを生地等に固定するための部品であり、基部と、基部から突出する一つ又は複数の軸部を有し、生地等を貫通した軸部を変形させてボタンを係止することにより、ボタンが生地等に固定される。【００１２】
本発明の一実施形態において、前記金属部品はスライドファスナー用の部品である。スライドファスナー用の部品の例としては、上止具、下止具、引手、ファスナーエレメント、スライダー等を挙げることができる。【００１３】
本発明の一実施形態において、前記工程Ｂは、前記多面部にメッキを施すことによって行われる。メッキには、電気メッキ、無電解メッキ、溶融亜鉛メッキ、化成処理、化成着色等が含まれる。【００１４】
本発明の一実施形態において、前記工程Ｃは、金属部品をバレル研磨することによって行われる。バレル研磨により多面部の稜部に対応する部分の被覆材を剥ぎ取ると、被覆材が剥離した部分と、被覆材が残る部分との境界がぼけて、圧縮装飾面に古び色的な模様を表現することができる。
【発明の効果】
【００１５】
本発明によれば、圧縮して形成される平坦状又は湾曲状になだらかな圧縮装飾面に、被覆材を残した複数の小区画部と、該被覆材を除去した、隣り合う小区画部間の境界部とから成る独特な模様を有する金属部品が得られる。かかる金属部品は、該金属部品となる中間部材における、複数の小区画面と小区画面間の稜部を含む多面部を被覆材で被覆し、次いで、稜部に対応する部分の被覆材のみを除去した後、多面部を押し潰すことによって形成される。被覆材が残る小区画部と被覆材が除去された境界部とから成る模様は、印刷や刻印等によって施される従来の模様とは趣を異にする斬新なものである。
【図面の簡単な説明】
【００１６】
【図１】図１は、本発明に係る金属部品の一例である飾りボタンを示す斜視図である。
【図２】図２は、図１の飾りボタンを止具を用いて生地に固定した状態を示す縦断面説明図である。
【図３】図３は、図１の飾りボタンとする中間部材を示す斜視図である。
【図４】図４は、図３の中間部材の平面図である。
【図５】図５は、メッキ処理した中間部材の斜視図である。
【図６】図６は、バレル研磨した中間部材の斜視図である。
【図７】図７は、上方ダイ、中間部材、及び下方ダイの配置状態を示す縦断面説明図である。
【図８】図８は、上方ダイと下方ダイ間で中間部材を成形した状態を示す縦断面説明図である。
【図９】図９は、上方ダイ、別の中間部材、生地、及び下方ダイの配置状態を示す縦断面説明図である。
【図１０】図１０は、中間部材の生地への固定時に上方ダイによって圧縮装飾面を形成した状態を示す縦断面説明図である。
【図１１】図１１は、本発明に係る金属部品である飾りボタンの別の例を示す斜視図である。
【図１２】図１２は、図１１の飾りボタンとする中間部材を示す斜視図である。
【図１３】図１３は、図１２の中間部材の平面図である。
【図１４】図１４は、メッキ処理した中間部材の斜視図である。
【図１５】図１５は、バレル研磨した中間部材の斜視図である。
【図１６】図１６は、本発明に係る金属部品の別の例である、ボタンホールに出し入れするタイプのボタンを、止具で生地に固定した状態で示す縦断面説明図である。
【図１７】図１７は、飾りボタンの更に別の例を示す側面図である。
【図１８】図１８は、本発明に係る金属部品の更に別の例であるボタン用の止具を示す斜視図である。
【図１９】図１９は、図１８の止具とする中間部材を示す斜視図である。
【図２０】図２０は、図１９の中間部材の平面図である。
【図２１】図２１は、メッキ処理した中間部材の斜視図である。
【図２２】図２２は、バレル研磨した中間部材の斜視図である。
【図２３】図２３は、本発明に係る金属部品の別の例であるスライドファスナー用の止具を示す斜視図である。
【図２４】図２４は、図２３の止具を含むスライドファスナーを示す平面図である。
【図２５】図２５は、図２４のＡ−Ａ線断面図である。
【図２６】図２６は、図２３の止具とする中間部材を示す斜視図である。
【図２７】図２７は、メッキ処理した中間部材の斜視図である。
【図２８】図２８は、バレル研磨した中間部材の斜視図である。
【図２９】図２９は、本発明に係る金属部品の更に別の例であるスライドファスナー用の引手を示す斜視図である。
【図３０】図３０は、図２９の引手が連結されたスライダーを示す平面図である。
【図３１】図３１は、図２９の引手とする中間部材を示す斜視図である。
【図３２】図３２は、メッキ処理した中間部材の斜視図である。
【図３３】図３３は、バレル研磨した中間部材の斜視図である。
【発明を実施するための形態】
【００１７】
以下、本発明の好適な実施形態を図面を参照しつつ説明する。図１は、本発明の一実施形態に係る金属部品としての飾りボタン（以下単に「ボタン」ともいう）１０の斜視図である。図２は、ボタン１０をボタン用の止具２０（変形前の止具２０は図９に示される）を用いて生地１に固定した状態を示す縦断面図である。ボタン１０は、アルミニウム合金、銅合金等から成り、例えばジーンズのポケットのカン止め等に用いられている。ボタン１０は、生地１に固定された状態で目視可能な表面（１２、１３）及び生地１に接して見えない裏面１４を有する、外周が円形のボタン本体１１と、ボタン本体１１の裏面１４側に形成される、生地１を貫通した止具２０の軸部２１を受け入れ、変形させて係止するための軸部係止部１５とを備える。軸部係止部１５は、ボタン本体１１の裏面１４から下方（上下は図２に基づく）にボタン本体１１と同心状に突出する円筒部１６と、円筒部１６の半径方向内側において、ボタン本体１１の裏面１４のレベルを超えて上方に凹となる係止空間１７とを含む。円筒部１６の内径は、止具２０の軸部２１が抜けないように下方へと次第に若干縮小し、係止空間１７も下方へと縮径する。なお、円筒部１６は、後述する中間部材１０’（図３等参照）をダイキャスト成形した後、下方へと縮径加工される。円筒部１６の半径方向に沿う厚さは下方へと次第に若干薄くなる。係止空間１７の上端面１７ａは平坦で閉じている。
【００１８】
ボタン本体１１の表面は、ボタン本体１１の軸線に垂直な面（以下「水平面」という）に沿いかつ該軸線と同心の平坦で円形の圧縮装飾面１２と、圧縮装飾面１２の外周から半径方向外側へと下方に傾斜する環状の多面装飾面１３とを有する。なお、裏面１４は圧縮装飾面１２と平行である。多面装飾面１３の半径方向外側下端部は軸線に平行な環状垂直面となっている。多面装飾面１３は、それぞれ平坦で六角形状、台形状等の多数の小区画面１３ａと、隣り合う二つの小区画面１３ａを鈍角にて接合する稜部１３ｂとから成る多面体外形を有する。多面装飾面１３には、詳しくは後述するが、多面装飾面１３にメッキを施した後、バレル研磨することにより、小区画面１３ａに対応するメッキ部分を残すと共に、稜部１３ｂに対応するメッキ部分を剥がしてボタン本体１１の地色を露出させて成る、亀の甲羅のような模様が設けられている。圧縮装飾面１２にも、メッキを残した円形状や台形状の複数の小区画部１２ａと、メッキを除去した、隣り合う小区画部１２ａ間の境界部１２ｂとから成る模様が付与されている。境界部１２ｂは、円形状の第１境界部１２ｂ’と、第１境界部１２ｂ’の半径方向外側における、多面装飾面１３の稜部１３ｂを平坦状に潰したような第２境界部１２ｂ”とから成る。    
【００１９】
次に、本発明に係る金属部品の形成方法の一実施形態として、上述した飾りボタン１０を形成する工程を説明する。図３は、最終的にボタン１０に加工されるダイキャスト半製品である中間部材１０’を示す斜視図であり、図４は中間部材１０’の平面図である。中間部材１０’は、ボタン１０のボタン本体１１となる部材本体１１’と、ボタン１０の軸部係止部１５（円筒部１６及び係止空間１７）となる円筒部１６’及び係止空間１７’（図７参照）とを有する。部材本体１１’は、ボタン本体１１の圧縮装飾面１２及び多面装飾面１３となる表面である多面部１２’と、裏面１４（図７参照。ボタン本体１１の裏面１４と実質的に同じであるため同じ参照番号を付す）とを含む。多面部１２’は、水平面に沿いかつ部材本体１１’と同心の平坦な円形面１２”と、円形面１２”の外周から半径方向外側かつ下方へと僅かに凸球面状に傾斜する環状の多面主部１３’とを含む。多面主部１３’は、それぞれ平坦で六角形状、台形状等の多数の小区画面１３’ａと、隣り合う二つの小区画面１３’ａを鈍角にて接合する稜部１３’ｂとから成る多面体外形を有する。円形面１２”も多面部１２’の小区画面の一つであり、円形面１２”と多面主部１３’間にも、これらを鈍角にて接合する円形の稜部１３ｂが存在する。部材本体１１’の軸方向の厚さ、すなわち円形面１２”と裏面１４間の軸方向に沿う間隔は、ボタン本体１１に比べ若干厚い（大きい）。また、円形面１２”の直径はボタン１０の圧縮装飾面１２の直径よりも小さく、第１境界部１２ｂ’の直径と同じである。この段階において、円筒部１６’の内径及び係止空間１７’の直径はほぼ一定である（図７参照）。
【００２０】
次に、図５に示すように、上記中間部材１０’の係止空間１７’を除く外側面全域に中間部材１０’の地色と異なる色のメッキを施す。なお、部材本体１１’の多面部１２’すなわち円形面１２”及び多面主部１３’のみをメッキ処理してもよい。次いで、メッキを施した中間部材１０’をバレル研磨することにより、図６に示すように、部材本体１１’において、円形面１２”及び小区画面１３’ａに対応するメッキ部分を残し、稜部１３ｂ、１３’ｂに対応するメッキ部分を剥離させ、稜部１３ｂ、１３’ｂに対応する部分のみ部材本体１１’の地色を露出させる。次に、図７に示す上方ダイ３０及び下方ダイ４０を用いて、中間部材１０’を軸方向に圧縮することにより、中間部材１０’を最終製品である飾りボタン１０へと加工する。図７を参照して上方ダイ３０は、その底面３１から上方に凹となる上方キャビティ３２を有する。上方キャビティ３２は、ボタン１０のボタン本体１１の外形に合致する形状であり、従って、その軸方向の深さが中間部材１０’の部材本体１１’の厚さよりも若干小さく、圧縮装飾面１２に対応する水平円形面３２ａと、多面装飾面１３に対応する環状の傾斜面３２ｂとを含む。下方ダイ４０は、その上面４１から下方に凹となる下方キャビティ４２を有する。下方キャビティ４２は、ボタン１０の円筒部１６の外形に合致する、下方へと縮径する形状であり、中間部材１０’の円筒部１６’を半径方向内側に絞り込み加工するための環状の湾曲面４２ａを含む。
【００２１】
図８は、上方及び下方ダイ３０、４０間で中間部材１０’を圧縮してボタン１０に成形した状態を示す。この圧縮により、中間部材１０’の部材本体１１’が軸方向に若干潰されてボタン本体１１となり、また、円筒部１６’が下方に縮径加工されて円筒部１６となる。この際また、上方キャビティ３２の水平円形面３２ａが部材本体１１’を円形面１２”から下方に押圧し、これに伴い、多面主部１３’における上端側の一部が円形面１２”の周囲で円形面１２”と面一にて平坦となり、円形面１２”を拡張するようにして圧縮装飾面１２が形成される。この際、圧縮装飾面１２に取り込まれた多面主部１３’の上端側部分は、稜部１３ｂ、１３’ｂが潰れて無くなり（微細な痕跡が残り得る）、これら潰れた稜部１３ｂ、１３’ｂを挟んで平坦状に隣り合う円形面１２”及び小区画面１３’ａが、圧縮装飾面１２の小区画部１２ａとなり、また、稜部１３ｂ、１３’ｂに対応するメッキ剥離部分が圧縮装飾面１２の境界部１２ｂ（第１及び第２境界部１２ｂ’、１２ｂ”）となる。また、多面主部１３’における圧縮装飾面１２に取り込まれた上端側部分を除く部分は、ボタン本体１１の多面装飾面１３となり、そのメッキが残る部分とメッキが剥がれた部分が模様を成す。以上のようにして得た飾りボタン１０を、図２に示すように生地１に取り付ける場合、水平に配した生地１の上方にて上方ダイ（図示せず）にボタン１０を保持させ、生地１の下方にて下方ダイ６０（図９参照）に止具２０を載置して、上方ダイを降下させる。これにより、止具２０の軸部２１が生地１を貫通した後、ボタン１０の係止空間１７に入り、その上端面１７ａに突き当たって軸方向に潰れ半径方向に拡張するように塑性変形する。この変形後の軸部２１が円筒部１６によって離脱不能に係止されることにより、ボタン１０が生地１に固定される。
【００２２】
以上の例では、中間部材１０’の部材本体１１’からボタン１０のボタン本体１１への成形加工と、円筒部１６’から円筒部１６への縮径加工とを同時に行ったが、これらを、以下に述べるように別々に行うこともできる。図９における中間部材１０”は、円筒部１６’が既に円筒部１６に加工されているが、部材本体１１’は未だボタン本体１１に加工されていない状態の中間部材１０’に相当する。そのため、中間部材１０”は中間部材１０’と同様の多面部１２’すなわち円形面１２”及び多面主部１３’（中間部材１０’の多面部１２’、円形面１２”及び多面主部１３’と実質的に同じであるため同じ参照番号を付す）を有し、また、ボタン１０と同様の係止空間１７（ボタン１０の係止空間１７と実質的に同じであるため同じ参照番号を付す）を含む。このような中間部材１０”を止具２０で生地１に取り付ける時に、上方ダイ５０によって部材本体１１’をボタン本体１１に加工することにより、中間部材１０”を飾りボタン１０として生地１に固定することができる。図９を参照して、上方ダイ５０は、円筒状のダイ本体５１と、ダイ本体５１内の空洞を昇降可能な円柱状のパンチ５３とを備える。ダイ本体５１は、その下端部に、中間部材１０”の部材本体１１’の外形に合致する形状に切除された環状のボタン保持部５２を有する。ダイ本体５１の内径及びパンチ５３の外径は、ボタン１０の圧縮装飾面１２の直径と同じに設定される。下方ダイ６０は、上面に止具２０の基部２２に合致する窪み６１を有する。中間部材１０”を生地１’に取り付けるに当たり、生地１’の上方にて上方ダイ５０のダイ本体５１のボタン保持部５２に中間部材１０”を保持させ、生地１’の下方にて下方ダイ６０の窪み６１に止具２０を載置した後、上方ダイ５０を降下させると共に、パンチ５３をダイ本体５１に対し下方に移動させる。これにより、図１０に示すように、止具２０の軸部２１が生地１’を貫通した後、既述したように中間部材１０”の係止空間１７内で変形して係止される。この時また、パンチ５３が中間部材１０”の部材本体１０’を軸方向に若干潰し、既述した上方ダイ３０による成形と同様に、円形面１２”の周囲に多面主部１３’の一部を取り込んで圧縮装飾面１２を形成すると共に、多面主部１３’の残部が多面装飾面１３となる。これにより、中間部材１０”は生地１’に固定されると同時に飾りボタン１０に加工される。
【００２３】
図１１は、本発明の別の実施形態に係る飾りボタンの斜視図である。飾りボタン７０は、ボタン本体７１と、ボタン本体７１の裏面側に形成される、ボタン１０と同様の、円筒部７６及び係止空間（図示せず）を含む軸部係止部とを備える。ボタン本体７１は、水平面に沿う正方形状の圧縮装飾面７２と、圧縮装飾面７２の周縁四辺から下方かつ外側に傾斜する台形状の四つの側面７３と、円筒部７６がそこから下方に突出する裏面（図示せず）とを有する。圧縮装飾面７２には、メッキが残る五つの小区画部７２ａと、メッキが剥がされた、隣り合う小区画部７２ａ間の境界部７２ｂとから成る模様が付与されている。小区画部７２ａは、圧縮装飾面７２より小さい正方形と、正方形の周囲の四つ台形とを有する。各側面７３は下端部に垂直面７４を含む。図１２及び１３は、最終的にボタン７０に加工されるダイキャスト半製品である中間部材７０’を示す斜視図及び平面図である。中間部材７０’は、ボタン７０のボタン本体７１となる部材本体７１’と、ボタン７０の円筒部７６となる円筒部７６’とを有する。部材本体７１’は、ボタン本体７１の圧縮装飾面７２となる多面部７２’と、ボタン本体７１の四側面７３となる四つの側面７３（ボタン７０の側面７３と実質的に同じであるため同じ参照番号を付す）とを含む。多面部７２’は、四側面７３の上辺に沿う水平面から上方に截頭正四角錐状に凸となる多面形状であり、水平面に沿う中央の、圧縮装飾面７２よりも小さい正方形面７２’ａと、正方形面７２’ａの周縁四辺から四側面７３の上辺へと下方かつ外側に傾斜する四つの台形面７２’ｂとを小区画面として有すると共に、台形面７２’ｂと台形面７２’ｂ間及び正方形面７２’ａと台形面７２’ｂ間を鈍角にて接合する稜部７２’ｃとを含む。なお、部材本体７１’には、台形面７２’ｂと側面７３間、側面７３と側面７３間、及び、側面７３における垂直面７４の上辺にも稜部７５が存在する。次に、上記中間部材７０’の外側面全域にメッキを施し（図１４参照）、次いで、この中間部材７０’をバレル研磨する。これにより、図１５に示すように、部材本体７１’における稜部７２’ｃ、７５に対応するメッキ部分のみが剥離して部材本体７１’の地色が露出する。次に、図示しないダイもしくはパンチを用いて、中間部材７０’の多面部７２’を軸方向に圧縮し、四側面７３の上辺に沿う水平な圧縮装飾面７２へと加工することにより、図１１に示す飾りボタン７０が形成される。この際、メッキが残る正方形面７２’ａ及び台形面７２’ｂが圧縮装飾面７２の小区画部７２ａとなり、メッキが剥がれた稜部７２’ｃが圧縮装飾面７２の境界部７２ｂとなる。なお、多面部７２’から圧縮装飾面７２への加工は、ボタン１０の例で説明したように、例えば、円筒部７６’を円筒部７６に縮径加工する際や中間部材７０’を生地１に固定する際に同時に行うことができる。
【００２４】
図１６は、本発明に係る金属部材の飾りボタン以外の例として、ボタンホール（図示せず）に出し入れするタイプのボタン８０を示す。該図において、ボタン８０は止具２０（図２の止具と実質的に同じであるため同じ参照番号を付す）によって生地２に固定した状態で表される。ボタン８０は、上述した飾りボタン１０のボタン本体１１と同様の形態を有する頭部８１と、頭部８１の裏面から下方に延びる円筒状の胴部８２とを備える。頭部８１は、胴部８２よりも半径方向外側に拡張し、ボタン１０の圧縮装飾面１２と同様の、メッキの残部と剥離部から成る模様を有する圧縮装飾面８３と、ボタン１０の多面装飾面１３と同様の側面８４とを有する。胴部８２は、生地２を貫通した止具２０の軸部２１を受け入れ、変形させて係止するための軸部係止部８５を含む。ボタン８０の頭部８１の圧縮装飾面８３は、ボタン１０の圧縮装飾面１２と同様に、図示しない中間部材の多面部を圧縮して形成される。
【００２５】
以上の例では、多面部１２’、７２’を圧縮して平坦状の圧縮装飾面１２、７２を形成したが、圧縮装飾面を湾曲状の面とすることもできる。図１７は、上述した飾りボタン１０に類似した飾りボタン９０であり、ボタン９０は、ボタン本体９１と、ボタン１０の軸部係止部１５と実質的に同じ軸部係止部９２とを備える。ボタン本体９１は、その表面全域になだらかな凸球面状の圧縮装飾面９３を有する。圧縮装飾面９３は、メッキが残る多数の小区画部９３ａと、メッキが剥がされた隣り合う小区画部９３ａ間の境界部９３ｂとから成る模様を有し、この模様は、ボタン１０の多面装飾面１３の、綾部１３ｂを潰した模様に相当する。圧縮装飾面９３は、図示はしないが、ボタン１０となる中間部材１１’における多面主部１３”と同様の形態を部材本体の表面全域に多面部として有する中間部材に対し、メッキ処理、バレル研磨、及び圧縮成形することよって形成される。この場合、中間部材の多面部は、潰れた稜部を挟んで隣り合う小区画面が湾曲状になだらかに連続するように加工されて圧縮装飾面９３となる。
【００２６】
図１８〜２２は、本発明に係る金属部品の更に別の実施形態として、ボタン用の止具の例を示す。図１８を参照して、止具１００は、スナップボタン、飾りボタン、ボタンホールに出し入れするタイプのボタン等を生地に固定するためのもので、円板状の基部１０１と、基部１０１からこれと同心状に突出する軸部１０２とを備える。軸部１０２は、ボタンの固定時に生地を貫通した後、変形させられてボタンと係合する。基部１０１は、止具１００が生地に取り付けられた状態で目視可能な表面に円形の圧縮装飾面１０３を有する。圧縮装飾面１０３は、後述するメッキが残る複数の小区画部１０３ａと、メッキが剥がされた、隣り合う小区画部１０３ａ間の境界部１０３ｂとから成る模様を有する。小区画部１０３ａは、圧縮装飾面１０３の中央に正六角形を構成する六つの三角形と、中央の正六角形の周囲の六つの略台形とを有する。図１９及び２０は、最終的に止具１００に加工されるダイキャスト半製品である中間部材１００’を示す斜視図及び平面図である。中間部材１００’は、止具１００の基部１０１及び軸部１０２となる基部１０１’及び軸部１０２（止具１００の軸部１０２と実質的に同じであるため同じ参照番号を付す）を有する。基部１０１’は、止具１００の圧縮装飾面１０３となる多面部１０３’を含む。多面部１０３’は、上方（図１９において軸部１０２が突出する側とは反対側）に若干凸となる多面形状であり、中央に正六角形を構成する六つの三角形面１０３’ａと、これら各三角形面１０３’ａの底辺から半径方向外側に広がる略台形状の六つの台形面１０３’ｂとを小区画面として有すると共に、三角形面１０３’ａと三角形面１０３’ａ間及び三角形面１０３’ａと台形面１０３’ｂ間を鈍角にて接合する稜部１０３’ｃとを含む。次に、上記中間部材１００’の外側面全域にメッキを施し（図２１参照）、次いで、この中間部材１００’をバレル研磨する。これにより、図２２に示すように、多面部１０３’における三角形面１０３’ａ及び台形面１０３’ｂに対応するメッキ部分が残り、稜部１０３’ｃに対応するメッキ部分が剥離して中間部材１００’の地色が露出する。なお、基部１０１’の周縁もメッキが剥がれて地色が露出する。次に、図示しないダイもしくはパンチを用いて、中間部材１００’の多面部１０３’を軸方向に圧縮加工することにより、圧縮装飾面１０３を有する止具１００が形成される。この際、メッキが残る三角形面１０３’ａ及び台形面１０３’ｂが圧縮装飾面１０３の小区画部１０３ａとなり、メッキが剥がれた稜部１０３’ｃが圧縮装飾面１０３の境界部１０３ｂとなる。
【００２７】
図２３〜２８は、本発明に係る金属部品の更に別の実施形態として、スライドファスナー用の下止具１１０の例を示す。図２３は下止具１１０の斜視図であり、図２４は、図２３に示す下止具１１０を含むスライドファスナー１２０の平面図であり、図２５は図２４のＡ−Ａ線断面図である。スライドファスナー１２０は、上下方向（上下左右は図２４に基づく）に長い左右一対のファスナーテープ１２１と、両ファスナーテープ１２１間を開閉するために手動により上下動させるスライダー１２２とを備え、スライダー１２２には使用者が開閉時に指で引く引手１２２’が連結されている。各ファスナーテープ１２１は、対向側部に上下方向に沿って多数の噛合用のファスナーエレメント１２３を有し、スライダー１２２は下方へ移動する際、噛合状態の左右のファスナーエレメント１２３の噛み合わせを解除して両ファスナーテープ１２１間を開放し、また、上方へ移動する際、非噛合状態の左右のファスナーエレメント１２３を噛み合わせて、両ファスナーテープ１２１間を閉じる。下止具１１０は、スライダー１２２のそれ以上下方への移動を不可とするために左右のファスナーテープ１２１間に取り付けられたストッパーである。図２４中の参照番号１２４は上止具であり、上止具１２４は左右のファスナーテープ１２１の対向側部の上方に取り付けられ、スライダー１２２のそれ以上上方への移動を不可とするためのものである。下止具１１０は、長方形板状の基部１１１と、基部１１１から裏面側に突出する二つの軸部１１２とを備える。図２５を参照して、下止具１１０は、左右のファスナーテープ１２１に対し、軸部１１２が両ファスナーテープ１２１間を裏面側へと通され、次いでバックプレート１３０の係止穴１３１に通された後、加締められることにより固定される。
【００２８】
基部１１１は、二つの正方形を合わせた大きさの長方形状の圧縮装飾面１１３を表面に有する。圧縮装飾面１１３は、後述するメッキが残る複数の小区画部１１３ａと、メッキが剥がされた、隣り合う小区画部１１３ａ間の境界部１１３ｂとから成る模様を有する。小区画部１１３ａは、圧縮装飾面１１３を二分した二つの正方形領域それぞれにおける、中央の正方形（該正方形の四辺は各正方形領域の対角線に平行）、及び該各正方向の周囲の大小二種類の三角形と、二つの正方形領域にまたがる菱形（二つの大三角形を合わせた形状）とを有する。図２６は、最終的に下止具１１０に加工されるダイキャスト半製品である中間部材１１０’を示す斜視図である。中間部材１１０’は、下止具１１０の基部１１１及び軸部１１２となる基部１１１’及び軸部１１２（下止具１１０の軸部１１２と実質的に同じであるため同じ参照番号を付す）を有する。基部１１１’は、下止具１１０の圧縮装飾面１１３の上記二つの正方形領域となる二つの多面部１１３’を含む。各多面部１１３’は、表側に若干凸となり、各正方形領域の対角線に四辺が平行で、軸部１１２の軸線に垂直な水平面に沿う中央の正方形面１１３’ａと、各正方向面１１３’ａの四辺を底辺としかつ各正方形領域の四つの角を頂角とする四つの小三角形面１１３’ｂと、各正方形領域の四辺を底辺としかつ各正方形面１１３’ａの四つの角を長角とする四つの大三角形面１１３’ｃとを小区画面として有する。各多面部１１３’はまた、正方形面１１３’ａと小三角形面１１３’ｂ間、及び小三角形面１１３’ｂと大三角形面１１３’ｃ間を鈍角にて接合する稜部１１３’ｄとを含む。なお、二つの多面部１１３’の境界は稜部ではなく谷部となる。次に、上記中間部材１１０’の外側面全域にメッキを施し（図２７参照）、次いで、この中間部材１１０’をバレル研磨する。これにより、図２８に示すように、各多面部１１３’において、正方形面１１３’ａ、小三角形面１１３’ｂ及び大三角形面１１３’ｃに対応するメッキ部分が残り、稜部１１３’ｄに対応するメッキ部分が剥離して中間部材１１０’の地色が露出する。なお、基部１１１’の表面側の周縁及び基部１１１’の側部の四つの角もメッキが剥がれて地色が露出する。次に、図示しないダイもしくはパンチを用いて、中間部材１１０’の各多面部１１３’を圧縮加工することにより、一つの圧縮装飾面１１３を有する下止具１１０が形成される。この際、メッキが残る正方形面１１３’ａ、小三角形面１１３’ｂ及び大三角形面１１３’ｃが圧縮装飾面１１３の小区画部１１３ａとなり、メッキが剥がされた稜部１１３’ｄが境界部１１３ｂとなる。
【００２９】
図２９〜３３は、本発明に係る金属部品の更に別の実施形態として、スライドファスナー用の引手１３０の例を示す。図２９は引手１３０の斜視図である。引手１３０は、図２４のスライドファスナー１２０における引手１２２’に対応する部品であり、図３０に示すように、使用者がスライドファスナーの開閉時に指で引く略円柱状の引手本体１３１と、引手本体１３１をスライドファスナーのスライダー１４０に連結するための円形の環部１３２とを備える。引手本体１３１は、径がほぼ一定の中間部１３１ａ（なお、中間部１３１ａの軸線に垂直な横断面は真円ではない）と、中間部１３１ａから環部１３２へと縮径して環部１３２と隣接する一端部１３１ｂと、中間部１３１ａの他端側で環部１３２から離れる側へと縮径する他端部１３１ｃとを有し、中間部１３１ａ、一端部１３１ｂ及び他端部１３１ｃの外側面全体が圧縮装飾面１３３となる。圧縮装飾面１３３は、中間部１３１ａにおいて、後述するメッキが残る八つの長方形状の小区画部１３３ａと、メッキが剥がされた、隣り合う小区画部１３３ａ間の境界部１３４ａとを含むと共に、一端部１３１ｂ及び他端部１３１ｃにおいて、小区画部１３３ａよりも短い長方形状の小区画部１３３ｂ、及び三角形状の小区画部１３３ｃと、小区画部１３３ｂ、１３３ｃ間の境界部１３４ｂとを含む。圧縮装飾面１３３は更に、中間部１３１ａの小区画部１３３ａと一端部１３１ｂ及び他端部１３１ｃにおける小区画部１３３ｂ、１３３ｃとの間に境界部１３４ｃを有する。圧縮装飾面１３３は、隣り合う小区画部１３３ａ、１３３ｂ、１３３ｃが湾曲状になだらかに連続するように形成される。小区画部１３３ａ、１３３ｂ、１３３ｃ及び境界部１３４ａ、１３４ｂ、１３４ｃは、引手本体１３１の外側面に独特の模様を表す。
【００３０】
図３１は、最終的に引手１３０に加工されるダイキャスト半製品である中間部材１３０’を示す斜視図である。中間部材１３０’は、引手１３０の引手本体１３１及び環部１３２となる部材本体１３１’及び環部１３２（引手１３０の環部１１２と実質的に同じであるため同じ参照番号を付す）を有する。部材本体１３１’は、圧縮装飾面１３３となる多面部１３３’をその外側面全域に有し、多面部１３３’は、それぞれ引手本体１３１の中間部１３１ａ、一端部１３１ｂ及び他端部１３１ｃとなる中間部１３１ａ’、一端部１３１ｂ’及び他端部１３１ｃ’に区分される。中間部１３１ａ’は八角柱状であり、八つの長方形面１３３ａ’を小区画面として有すると共に、これら長方形面１３３ａ’間を鈍角にて接合する八つの稜部１３４ａ’を含む。一端部１３１ｂ’及び他端部１３１ｃ’は、四つの小長方形面１３３ｂ’と四つの三角形面１３３ｃ’とをそれぞれ有すると共に、小長方形面１３３ｂ’と三角形面１３３ｃ’間を鈍角にて接合する四つの稜部１３４ｂ’をそれぞれ含む。多面部１３３’は更に、中間部１３１ａ’における長方形面１３３ａ’と一端部１３１ｂ’及び他端部１３１ｃ’における小長方形面１３３ｂ’及び三角形面１３３ｃ’との間を鈍角にて接合する稜部１３４ｃ’を含む。
【００３１】
次に、上記中間部材１３０’の環部１３２を含む外側面全域にメッキを施し（図３２参照）、次いで、この中間部材１３０’をバレル研磨する。これにより、図３３に示すように、中間部１３１ａ’における長方形面１３３ａ’、及び一端部１３１ｂ’及び他端部１３１ｃ’における小長方形面１３３ｂ’及び三角形面１３３ｃ’に対応するメッキ部分が残り、稜部１３４ａ’、１３４ｂ’、１３４ｃ’に対応するメッキ部分が剥離して中間部材１３０’の地色が露出する。なお、環部１３２の縁部のメッキが剥がれて地色が露出する。次に、図示しないダイを用いて、中間部材１３０’の部材本体１３１’の外側面全域である多面部１３３’を圧縮加工することにより、引手１３０が形成される。この際、メッキが残る長方形面１３３ａ’、小長方形面１３３ｂ’及び三角形面１３３ｃ’が圧縮装飾面１３３の小区画部１３３ａ、１３３ｂ、１３３ｃとなり、メッキが剥がされた稜部１３４ａ’、１３４ｂ’、１３４ｃ’が境界部１３４ａ、１３４ｂ、１３４ｃとなる。以上では、スライドファスナー用の部品として下止具１１０と引手１３０に、メッキが残る小区画部１１３ａ、１３３ａ、１３３ｂ、１３３ｃとメッキが剥がされた境界部１１３ｂ、１３４ａ、１３４ｂ、１３４ｃとから成る模様を付与する例を挙げたが、これらに限らず、スライドファスナー用の上止具１２４、ファスナーエレメント１２３、スライダー１２２、１４０に同様の模様を設けることができる。
【符号の説明】
【００３２】
１０、７０、９０  飾りボタン（金属部品）
１０’、１０”、７０’、１００’、１１０’、１３０’  中間部材
１２、７２、８３、９３、１０３、１１３、１３３  圧縮装飾面
１２’、７２’、１０３’、１１３’、１３３’  多面部
１２ａ、７２ａ、９３ａ、１０３ａ、１１３ａ、１３３ａ、１３３ｂ、１３３ｃ  小区画部
１２ｂ、７２ｂ、９３ｂ、１０３ｂ、１１３ｂ、１３４ａ、１３４ｂ、１３４ｃ  境界部
１２ｂ’  第１境界部
１２ｂ”  第２境界部
１２”  円形面（小区画面）
１３’ａ  小区画面
１３ｂ、１３’ｂ、７２’ｃ、１０３’ｃ、１１３’ｄ、１３４ａ’１３４ｂ’、１３４ｃ’  稜部
７２’ａ  正方形面（小区画面）
７２’ｂ  台形面（小区画面）
８０  ボタン（金属部品）
１００  ボタン用の止具（金属部品）
１０３’ａ  三角形面（小区画面）
１０３’ｂ  台形面（小区画面）
１１０  スライドファスナー用の下止具（金属部品）
１１３’ａ  正方形面（小区画面）
１１３’ｂ  小三角形面（小区画面）
１１３’ｃ  大三角形面（小区画面）
１３０  スライドファスナー用の引手（金属部品）
１３３ａ’  長方形面（小区画面）
１３３ｂ’  小長方形面（小区画面）
１３３ｃ’  三角形面（小区画面）
【図１】
0005514907.tif 000002
【図２】
0005514907.tif 000003
【図３】
0005514907.tif 000004
【図４】
0005514907.tif 000005
【図５】
0005514907.tif 000006
【図６】
0005514907.tif 000007
【図７】
0005514907.tif 000008
【図８】
0005514907.tif 000009
【図９】
0005514907.tif 000010
【図１０】
0005514907.tif 000011
【図１１】
0005514907.tif 000012
【図１２】
0005514907.tif 000013
【図１３】
0005514907.tif 000014
【図１４】
0005514907.tif 000015
【図１５】
0005514907.tif 000016
【図１６】
0005514907.tif 000017
【図１７】
0005514907.tif 000018
【図１８】
0005514907.tif 000019
【図１９】
0005514907.tif 000020
【図２０】
0005514907.tif 000021
【図２１】
0005514907.tif 000022
【図２２】
0005514907.tif 000023
【図２３】
0005514907.tif 000024
【図２４】
0005514907.tif 000025
【図２５】
0005514907.tif 000026
【図２６】
0005514907.tif 000027
【図２７】
0005514907.tif 000028
【図２８】
0005514907.tif 000029
【図２９】
0005514907.tif 000030
【図３０】
0005514907.tif 000031
【図３１】
0005514907.tif 000032
【図３２】
0005514907.tif 000033
【図３３】
0005514907.tif 000034